【手続補正書】
【提出日】平成16年10月20日(2004.10.20)
【手続補正１】
【補正対象書類名】明細書
【補正対象項目名】特許請求の範囲
【補正方法】変更
【補正の内容】
【特許請求の範囲】
【請求項１】
ディスクから信号を読み出す光ピックアップと、
前記光ピックアップにより読み出された信号からデータを再生するためのクロックを再生する、異なる線速度レンジを有する２つのクロック再生回路と、
前記２つのクロック再生回路にそれぞれ対応して設けられ、それぞれ対応する前記クロック再生回路により再生されたクロックを用いてデータを再生する２つの信号処理回路と、
前記２つのクロック再生回路の一方により正しく再生された再生データを選択する選択手段と、
前記２つの信号処理回路のうちの一方の信号処理回路の再生データが前記選択手段により選択されたとき、前記２つの信号処理回路のうちの他方の信号処理回路に対応する前記クロック再生回路の線速度レンジを切り替える切替手段と
を具備することを特徴とするディスク再生装置。
【請求項２】
請求項１記載のディスク再生装置において、
前記切替手段が、前記他方の信号処理回路に対応する前記クロック再生回路の線速度レンジと、前記一方の信号処理回路に対応する前記クロック再生回路の線速度レンジとの大小関係を反転させるように、前記他方の信号処理回路に対応する前記クロック再生回路の線速度レンジを切り替えることを特徴とするディスク再生装置。
【請求項３】
ディスクから信号を読み出す光ピックアップと、
前記光ピックアップにより読み出された信号からデータ再生のためのクロックを再生する、互いに異なる線速度レンジが設定された複数のクロック再生回路と、
前記個々のクロック再生回路にそれぞれ対応して設けられ、それぞれ対応するクロック再生回路により再生されたクロックでデータを再生する複数の信号処理回路と、
前記複数の信号処理回路の一つで正しくデータを再生できた再生データを選択する選択手段と
を具備することを特徴とするディスク再生装置。
【請求項４】
請求項３記載のディスク再生装置において、
前記選択手段は、少なくとも再生命令の発生から、この再生命令に応じた目標線速度でディスクからデータが再生されるまでの期間に、再生データを選択する
ことを特徴とするディスク再生装置。
【請求項５】
ディスクから信号を読み出す光ピックアップと、
前記光ピックアップにより読み出された信号からデータを再生するためのクロックを再生するクロック再生回路と、
前記クロック再生回路により再生されたクロックでデータを再生する信号処理回路と、
前記クロック再生回路の線速度レンジを切り替える切替手段とを有するディスク再生装置のディスク再生方法において、
前記切替手段は、予め設定された時間情報に基づいて線速度レンジを切り替え、かつ、再生されたディスクのサイズに基づいて、線速度レンジの切り替えタイミングを変化させる
ことを特徴とするディスク再生方法。
【請求項６】
請求項５記載のディスク再生方法において、
前記レンジ切替手段は、前記時間情報に基づいて、複数の異なるタイミングで線速度レンジを切り替える
ことを特徴とするディスク再生方法。
【請求項７】
前記光ピックアップにより読み出された信号からデータを再生するためのクロックを再生する、異なる線速度レンジを有する２つのクロック再生回路と、
前記２つのクロック再生回路にそれぞれ対応して設けられ、それぞれ対応する前記クロック再生回路により再生されたクロックを用いてデータを再生する２つの信号処理回路と、
を有するディスク再生装置のディスク再生方法において、
前記２つのクロック再生回路の一方により正しく再生された再生データを選択し、
前記２つの信号処理回路のうちの一方の信号処理回路の再生データが前記選択手段により選択されたとき、前記２つの信号処理回路のうちの他方の信号処理回路に対応する前記クロック再生回路の線速度レンジを切り替えることを特徴とするディスク再生方法。
【請求項８】
請求項７記載のディスク再生方法において、
前記線速度レンジを切り替えるステップは、前記他方の信号処理回路に対応する前記クロック再生回路の線速度レンジと、前記一方の信号処理回路に対応する前記クロック再生回路の線速度レンジとの大小関係を反転させるように、前記他方の信号処理回路に対応する前記クロック再生回路の線速度レンジを切り替えることを特徴とするディスク再生方法。
【請求項９】
前記光ピックアップにより読み出された信号からデータ再生のためのクロックを再生する、互いに異なる線速度レンジを有する複数のクロック再生回路と、
前記個々のクロック再生回路にそれぞれ対応して設けられ、それぞれ対応するクロック再生回路により再生されたクロックでデータを再生する複数の信号処理回路とを有するディスク再生装置のディスク再生方法において、
前記複数の信号処理回路の一つで正しくデータを再生できた再生データを選択する
ことを特徴とするディスク再生方法。
【請求項１０】
請求項９記載のディスク再生方法において、
前記再生データを選択するステップは、少なくとも再生命令の発生から、この再生命令に応じた目標線速度でディスクからデータが再生されるまでの期間に、再生データを選択する
ことを特徴とするディスク再生方法。
【請求項１１】
前記光ピックアップにより読み出された信号からデータを再生するためのクロックを再生するクロック再生回路と、
前記クロック再生回路により再生されたクロックでデータを再生する信号処理回路とを有するディスク再生装置のディスク再生方法において、
少なくとも再生命令の発生から、この再生命令に応じた目標線速度でディスクからデータが再生されるまでの期間に、クロック再生回路の線速度レンジを予め設定された時間情報に基づいて切り替え、再生されたディスクのサイズに基づいて、線速度レンジの切り替えタイミングを変化させる
ことを特徴とするディスク再生方法。
【請求項１２】
請求項１１記載のディスク再生方法において、
前記時間情報に基づいて、線速度レンジを複数の異なるタイミングで切り替える
ことを特徴とするディスク再生方法。
【手続補正２】
【補正対象書類名】明細書
【補正対象項目名】０００５
【補正方法】変更
【補正の内容】
【０００５】
【課題を解決するための手段】上記目的を達成するために、本発明のディスク再生装置は、
ディスクから信号を読み出す光ピックアップと、前記光ピックアップにより読み出された信号からデータを再生するためのクロックを再生する、異なる線速度レンジを有する２つのクロック再生回路と、前記２つのクロック再生回路にそれぞれ対応して設けられ、それぞれ対応する前記クロック再生回路により再生されたクロックを用いてデータを再生する２つの信号処理回路と、前記２つのクロック再生回路の一方により正しく再生された再生データを選択する選択手段と、前記２つの信号処理回路のうちの一方の信号処理回路の再生データが前記選択手段により選択されたとき、前記２つの信号処理回路のうちの他方の信号処理回路に対応する前記クロック再生回路の線速度レンジを切り替える切替手段と  を具備することを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００９
【補正方法】変更
【補正の内容】
【０００９】
さらに、本発明のディスク再生装置は、ディスクから信号を読み出す光ピックアップと、前記光ピックアップにより読み出された信号からデータ再生のためのクロックを再生する、互いに異なる線速度レンジが設定された複数のクロック再生回路と、前記個々のクロック再生回路にそれぞれ対応して設けられ、それぞれ対応するクロック再生回路により再生されたクロックでデータを再生する複数の信号処理回路と、前記複数の信号処理回路の一つで正しくデータを再生できた再生データを選択する選択手段とを具備することを特徴とする。
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】変更
【補正の内容】
【００２５】
【発明の効果】以上説明したように、本発明によれば、一方の信号処理回路、つまり高い（又は低い）線速度レンジが設定されたほうの信号処理回路にて正しくデータ再生が行われている間に、他方の信号処理回路つまり低い（又は高い）線速度レンジが設定されているほうの信号処理回路の線速度レンジを一方の信号処理回路の線速度レンジよりもさらに高い（又は低い）線速度レンジに切り替えることで、時間経過に伴う実際の線速度の変化に追従することができ、この結果、ディスクの加速中あるいは減速中の過渡的な状態でも再生データをとぎれることなく出力することができる。さらに、本発明によれば、互いに異なる線速度レンジが設定された複数のクロック再生回路によって、時間経過に伴う実際の線速度の変化に追従することができ、この結果、ディスクの加速中あるいは減速中の過渡的な状態でも再生データをとぎれることなく出力することができる。